(57)【要約】【課題】コークス乾式消火設備のシールポット清掃装置の腐食を抑えるとともに、落下するコークスがシールポット清掃装置内に入り込むのを防止することができるシールポット清掃装置を提供する。【解決手段】コークス乾式消火設備のシールポット３内のシール水４に没入する第１の側板とシールポット３の外側にある第２の側板と両側板を連結する天板とからなる門型のスクレーパ支持装置８がシールポット３の側板を跨いでシールポット３に沿って移動可能に設けられ、第１の側板の下部にはスクレーパ７が固定され、第２の側板の内側には支持ローラが設けられ、シールポットの側板の外周には支持ローラが走行するレールが設けられ、スクレーパ支持装置８の第２の側板にスクレーパ支持装置８を旋回させる旋回輪９と、旋回輪９を旋回させる旋回輪駆動装置１０を備えているシールポット清掃装置。【選択図】図１
2010083911.tif 000002
【特許請求の範囲】
【請求項１】
コークス乾式消化設備の消火塔頂部に形成されているコークス装入口を取り囲んでシールポットが配設され、シールポットの一部にシールポットに堆積しているコークスを払い出すコークス払出装置を備えたコークス払出部が設けられ、シールポット内を旋回してシールポットに堆積しているコークスを掻き集めるスクレーパとスクレーパ支持装置を備えたシールポット清掃装置において、
シールポット内のシール水に没入する第１の側板とシールポットの外側にある第２の側板と両側板を連結する天板とからなる門型のスクレーパ支持装置がシールポットの側板を跨いでシールポットに沿って移動可能に設けられ、第１の側板の下部にはスクレーパが固定され、第２の側板の内側には支持ローラが設けられ、シールポットの側板の外周には支持ローラが走行するレールが設けられ、スクレーパ支持装置の第２の側板にスクレーパ支持装置を旋回させる旋回輪と、旋回輪を旋回させる旋回輪駆動装置を備えていることを特徴とするシールポット清掃装置。
【請求項２】
旋回輪がリングギヤで旋回輪駆動装置がリングギヤにかみ合う、回転するピニオンであることを特徴とする請求項１に記載のシールポット清掃装置。
【請求項３】
旋回輪がリング状に形成されたチェーンであることを特徴とする請求項１に記載のシールポット清掃装置。
【請求項４】
支持ローラが第２の側板に間隔をおいて上下に一対ずつ設けられた上部ローラと下部ローラとからなり、レールがシールポットの側板の外周に設けられた上部レールと下部レールからなり、下部ローラが下部レールに支持され、上部ローラが上部レールの下側を走行可能に配置されていることを特徴とする請求項１または２に記載のシールポット清掃装置。
【請求項５】
旋回駆動装置とコークス払出装置を一つの同じ駆動機に連結したことを特徴とする請求項１ないし３のいずれかに記載のシールポット清掃装置。
【発明の詳細な説明】
【技術分野】
【０００１】
本発明は、コークス乾式消火設備の消火塔頂部に設けられているコークス装入口の周囲に配設されたシールポットの底に溜まったコークスを掻き出してシールポットを清掃するためのシールポット清掃装置に関する。
【背景技術】
【０００２】
コークス炉から取り出された赤熱コークスの冷却にコークス乾式消火設備が利用されている。赤熱コークスは、コークス乾式消火設備の消火塔頂部のコークス装入口からプレチャンバに装入され、冷却室を降下する間に、下方から吹き込まれる不活性の循環ガスと接触して冷却される。
【０００３】
消火塔への赤熱コークスの装入は、コークス装入口を開閉する装入蓋とバケットから落下するコークスをコークス装入口に導くホッパーを備えた装入装置を移動させ、ホッパーと装入蓋を交互にコークス装入口に一致させ、ホッパーによるコークス装入、装入前後の装入蓋の開閉を行っている。
【０００４】
消火塔から高温ガスが吹き出すのを防止するため、コークス装入口の周囲に設けられたシールポットのシール水に装入蓋の周囲に設けられたシールプレートを没入させて水封して消火塔をシールしている。
【０００５】
装入装置がホッパーから装入蓋に切り替る時に、ホッパーのベル吊り下げ梁の付け根部分やライナーの隙間部分に溜まったコークスが、装入装置の移動の際に振動でシールポットに落下する。シールポットに落下して堆積したコークスをそのままにしておくとコークスと装入蓋のシールプレートが干渉し、装入蓋が閉状態とならず、消火塔内のシール機能を失い、消火塔からの高温ガスの吹き出しを防止できずに操業できない状態となる。そこで、シールポット内に堆積したコークスを手作業で掻き出しているが、掻き出し作業は、高温、重筋作業で、かつ危険作業となるなどの問題があった。この問題を解決する手段として、特許文献１には、シールポットに落下して堆積したコークスの掻き出し装置が開示されている。
【０００６】
図１２は前記特許文献１に記載されている掻き出し装置の概略図である。
【０００７】
消火塔のプレチャンバ１の頂部に形成されているコークス装入口２の周囲にシールポット３が配設されている。コークス装入口２を装入蓋５で閉めた状態では、装入蓋５の周囲に設けられたシールプレート６がシールポット３のシール水４に没入して水封され、消火塔がシールされる。
【０００８】
シールポット３内には堆積したコークスを掻き出すスクレーパ７が配置され、スクレーパ７は支持装置３０の連結棒３１に連結されている。支持装置３０はシールポット３の側板３２の上縁に支持され、この上縁に沿って移動可能となっている。支持装置３０はシールポット３の周囲に沿って移動可能に設けられた無端チェーン３３に連結され、無端チェーン３３はモータ３４で回転するスプロケット３５に噛み合っている。
【０００９】
モータ３４によりスプロケット３５を回転させると、無端チェーン３３がシールポット３の回りを移動し、無端チェーン３３に連結された支持装置３０もシールポット３の側板３２の上縁に沿って移動する。この移動により支持装置３０の連結棒３１に連結されたスクレーパ７がシールポット３に堆積しているコークスを掻き集めて、払出部から押し出していく。
【特許文献１】実開昭６０−５２９４７号公報
【発明の開示】
【発明が解決しようとする課題】
【００１０】
しかしながら、前記特許文献１に記載の掻き出し装置は、支持装置がシールポットのシール水上にあるため、シールポットに落下した高温の赤熱コークスによりシール水が蒸発し、立ち昇る水蒸気に絶えず曝されているため、支持装置の腐食の進行が早く進んでいた。その結果、支持装置のメンテナンスを頻繁に行う必要があった。そのため、操業できない状態となる回数も多かった。
【００１１】
また、前記特許文献１に記載の掻き出し装置は、支持装置がシールポットの側板の上にあるため、装入装置の移動の際に落下するコークスが直接支持装置内に入り込んで支持装置が可動しなくなって、たびたび支持装置のメンテナンスを行う必要があった。
【００１２】
そこで、本発明は、シールポットに堆積したコークスを掻き出すスクレーパを備えたコークス乾式消火設備のシールポット清掃装置において、シールポット清掃装置の腐食を抑えるとともに、落下するコークスがシールポット清掃装置内に入り込むのを防止することができるシールポット清掃装置を提供するものである。
【課題を解決するための手段】
【００１３】
本発明のシールポット清掃装置は、コークス乾式消化設備の消火塔頂部に形成されているコークス装入口を取り囲んでシールポットが配設され、シールポットの一部にシールポットに堆積しているコークスを払い出すコークス払出装置を備えたコークス払出部が設けられ、シールポット内を旋回してシールポットに堆積しているコークスを掻き集めるスクレーパとスクレーパ支持装置を備えたシールポット清掃装置において、シールポット内のシール水に没入する第１の側板とシールポットの外側にある第２の側板と両側板を連結する天板とからなる門型のスクレーパ支持装置がシールポットの側板を跨いでシールポットに沿って移動可能に設けられ、第１の側板の下部にはスクレーパが固定され、第２の側板の内側には支持ローラが設けられ、シールポットの側板の外周には支持ローラが走行するレールが設けられ、スクレーパ支持装置の第２側板にスクレーパ支持装置を旋回させる旋回輪と、旋回輪を旋回させる旋回輪駆動装置を備えていることを特徴とする。
【発明の効果】
【００１４】
本発明のシールポット清掃装置は、シールポット側板周囲にスクレーパ支持装置を構成しているのでシールポットからの放散蒸気に包まれることが少ない。その結果スクレーパ支持装置の可動部の腐食を抑えることができる。
【００１５】
さらに、本発明のシールポット清掃装置は、スクレーパ支持装置の可動部がカバーされており、コークスが落下してもスクレーパ支持装置の天板により可動部に入り込むことがないので、スクレーパ支持装置のトラブルを防止することができる。
【００１６】
上記の腐食防止の効果、トラブル防止の効果により、本発明のシールポット清掃装置はメンテナンス、操業停止の回数を低減させることが可能となるため、長期の安定操業が可能となる。
【００１７】
また、本発明のシールポット清掃装置は、レールとローラで走行する簡単な構造であるので、従来のコークス乾式消火設備のチャンバー頂部に大幅な構造変更することなく容易に取り付けが可能である。
【００１８】
また、本発明のシールポット清掃装置は、旋回輪駆動装置とコークス払出装置を1つの駆動機で駆動することも可能なため、小型化が可能となる。
【発明を実施するための最良の形態】
【００１９】
本発明のシールポット清掃装置を実施例により説明する。
【実施例１】
【００２０】
図１は本発明のシールポット清掃装置の配置を示す概略図、図２は本発明のシールポット清掃装置を配置した消火塔頂部の平面図である。
【００２１】
図１、図２において、消火塔のプレチャンバ１の頂部に形成されている断面円形のコークス装入口２の回りに樋の形状をしたシールポット３が設けられている。コークス装入口２を開閉する装入蓋５の周囲にはシールプレート６が設けられている。シールポット３のシール水４に装入蓋５のシールプレート６が没入して消火塔はシールされる。
【００２２】
シールポット３内の底部にはスクレーパ７が配置される。スクレーパ７はシールポット３の回りを移動するスクレーパ支持装置８の下端に固定されている。なお、図１および２では、２個のスクレーパ７を配置しているが、1個でもよく、あるいは２個を超える複数個を、間隔をおいて設置してもよい。
【００２３】
スクレーパ７にはスクレーパ支持装置８に連結され、スクレーパ支持装置８はコークス装入口２を取り囲んでいる旋回輪９に固定されている。旋回輪９は旋回輪駆動装置１０でコークス装入口２の回りを回転する。この回転によりスクレーパ７はシールポット３内を移動して堆積しているコークスを掻き集めていく。
【００２４】
スクレーパ７で掻き集められたコークスはシールポット３のコークス払出部１１からコークス払出装置１２により取り出される。なお、図２中の１３は装入装置が走行する装入装置走行レールである。
【００２５】
図３は本発明のシールポット清掃装置の構造を示す説明図、図４は本発明のシールポット清掃装置の旋回手段を示す図、図５は同斜視図である。
【００２６】
図３〜図５において、スクレーパ支持装置８は、金属板により対向する第１の側板１４と第２の側板１５どうしの上部を接続する天板１６とで門形に形成される。
【００２７】
門形に形成されているスクレーパ支持装置８は、シールポット３の側板１７を跨いで配置される。スクレーパ７は、スクレーパ支持装置８の、シールポット内側に位置する第１の側板１４の下部に固定されている。シールポット３の内側に位置する第１の側板１４は、シール水４に没入している。
【００２８】
シールポット３の外側に位置するスクレーパ支持装置８の第２の側板１５の内側には、間隔をおいて上下に一対ずつ上部ローラ１８と下部ローラ１９が配置される。シールポット３の側板１７の外周面には上部レール２０と下部レール２１が間隔をおいて設けられている。スクレーパ支持装置８の下部ローラ１９は下部レール２１に支持されて走行し、上部ローラ１８はスクレーパ支持装置８の浮き上がりを防止のため上部レール２０の下側を移動する。
【００２９】
シールポット３の外側に位置する、スクレーパ支持装置８の第２の側板１５の外面には、スクレーパ７を旋回させる旋回輪９が固定される。本実施例では、旋回輪９としてリングギヤが使用されている。旋回輪９は旋回輪駆動装置１０により旋回する。本実施例では、旋回輪駆動装置１０はリングギヤ９と噛み合うピニオン２２とし、リングギヤ９を電動機２３により減速機２４を介して回転させ、旋回輪９を旋回させる。
【００３０】
図６はコークス払出装置の一例を示す概略断面図である。
【００３１】
シールポット３のコークス払出部１１の開口２５にはコークス払出装置１２が配設される。スクレーパに押されて開口２５から落下したコークス２６は、掻き板２７が間隔をおいて固定されているコンベアチェン２８をチェンスプロケット２９で回転させて掻き上げて排出する。なお、コークス払出装置をスクリューコンベアなど他形式のコンベアとしてもよい。また、旋回輪駆動装置１０とコークス払出装置１２を1つの駆動機で駆動可能にしてもよい。
【００３２】
前記の構成により、旋回輪９および旋回輪駆動装置１０により掻き板７をシールポット３内を連続的または間欠的に振回させ、シールポット３内に堆積したコークスをコークス払出部１１まで押し出す。シールポット３のコークス払出部１１で押し出されて落下したコークスをコークス払出装置で連続的または間欠的にシールポットの外まで搬出する。
【実施例２】
【００３３】
図７は本発明のシールポット清掃装置の旋回手段の別実施例を示す断面図、図８は同平面図、図９は同正面図、図１０は同斜視図、図１１は同斜視図である。実施例１と同一部材には同一符号を付してその説明は省略する。
【００３４】
本実施例は旋回輪がリング状に形成されたチェーンである。
【００３５】
シールポット３の外側に位置する、スクレーパ支持装置８の第２の側板１５の外面には、スクレーパ７を旋回させる旋回輪９として環状のチェーン３３が使用される。旋回輪駆動装置１０はチェーン３３と噛み合うピニオン３４とし、チェーン３３を電動機２３により減速機２４を介して回転させ、旋回輪９を旋回させる。
【００３６】
第２の側板１５の内面にはサイドローラ３５が取り付けられ、サイドローラ３５はスクレーパ支持装置８の第２の側板１５の内側に設けられたレール３６により左右のぶれが規制される。
【図面の簡単な説明】
【００３７】
【図１】本発明のシールポット清掃装置の配置を示す図である。
【図２】本発明のシールポット清掃装置を配置した消火塔頂部の平面図である。
【図３】本発明のシールポット清掃装置の構造を示す説明図である。
【図４】本発明のシールポット清掃装置の旋回手段を示す図である。
【図５】本発明のシールポット清掃装置の旋回手段を示す斜視図である。
【図６】コークス払出装置の一例を示す概略断面図である。
【図７】本発明のシールポット清掃装置の旋回手段の別実施例を示す断面図である。
【図８】本発明のシールポット清掃装置の旋回手段の別実施例を示す平面図である。
【図９】本発明のシールポット清掃装置の旋回手段の別実施例を示す正面図である。
【図１０】本発明のシールポット清掃装置の旋回手段の別実施例を示す斜視図である。
【図１１】本発明のシールポット清掃装置の旋回手段の別実施例を示す斜視図である。
【図１２】従来のコークス掻き出し装置の概略図である。
【符号の説明】
【００３８】
１：プレチャンバ            ２：コークス装入口
３：シールポット            ４：シール水
５：装入蓋                  ６：シールプレート
７：スクレーパ              ８：スクレーパ支持装置
９：旋回輪（リングギヤ）  １０：旋回輪駆動装置
１１：コークス払出部        １２：コークス払出装置
１３：装入装置走行レール    １４：側板
１５：側板                  １６：天板
１７：シールポットの側板    １８：上部ローラ
１９：下部ローラ            ２０：上部レール
２１：下部レール            ２２：ピニオン
２３：電動機                ２４：減速機
２５：開口                  ２６：コークス
２７：掻き板                ２８：コンベアチェン
２９：チェンスプロケット    ３０：支持装置
３１：連結棒                ３２：側板
３３：チェーン              ３４：ピニオン
３５：サイドローラ          ３６：レール
【図１】
2010083911.tif 000003
【図２】
2010083911.tif 000004
【図３】
2010083911.tif 000005
【図４】
2010083911.tif 000006
【図５】
2010083911.tif 000007
【図６】
2010083911.tif 000008
【図７】
2010083911.tif 000009
【図８】
2010083911.tif 000010
【図９】
2010083911.tif 000011
【図１０】
2010083911.tif 000012
【図１１】
2010083911.tif 000013
【図１２】
2010083911.tif 000014